(57)【要約】【課題】無線LANルータ等の無線中継機能を有する通信装置を広域通信網に接続するための最新の接続先の情報を該通信装置に自動的に設定する無線通信ネットワークシステムを提供する。【解決手段】情報通信機器200は、WAN通信IF202を用いて接続した広域通信網を介してサーバ300にアクセスして、LAN通信IF203を用いて無線接続した通信装置100から受信した広域通信網における接続先に関する情報を選択するための選択条件情報を基にして、APNリスト301に登録されている当該通信装置100の最新の接続先に関する情報を取得する手段と、サーバ300から取得した最新の接続先に関する情報を、LAN通信IF203を用いて通信装置100に送信する手段とを有する。通信装置100は、情報通信機器200から送信されてきた最新の接続先に関する情報を、広域通信網の接続に用いる情報として設定する手段を有する。【選択図】        図１
2019083463.tif 000002
【特許請求の範囲】
【請求項１】
無線ＬＡＮ（Local  Area  Network）中継機能を有する通信装置と、該通信装置と無線接続することができるＬＡＮ通信ＩＦ（Interface）と広域通信網に接続することができるＷＡＮ通信ＩＦとを有する情報通信機器と、前記通信装置を前記広域通信網に接続するために必要とする最新の接続先に関する情報を登録しているサーバとを含む無線ＬＡＮネットワークシステムであって、
前記情報通信機器は、
前記ＬＡＮ通信ＩＦを用いて無線接続した前記通信装置から、当該通信装置の前記広域通信網における接続先に関する情報を選択するために必要とする情報である選択条件情報を受け取る手段と、
前記ＷＡＮ通信ＩＦを用いて接続した前記広域通信網を介して前記サーバにアクセスして、前記通信装置から受け取った前記選択条件情報を基にして、該サーバに登録されている当該通信装置の前記広域通信網における最新の接続先に関する情報を取得する手段と、
前記サーバから取得した前記通信装置の前記広域通信網における最新の接続先に関する情報を、前記ＬＡＮ通信ＩＦを用いて当該通信装置に送信する手段と
を有し、
前記通信装置は、
前記情報通信機器から送信されてきた当該通信装置の前記広域通信網における最新の接続先に関する情報を、前記広域通信網における接続先に関する情報として設定する手段
を有することを特徴とする無線ＬＡＮネットワークシステム。
【請求項２】
前記情報通信機器は、
前記ＷＡＮ通信ＩＦを用いて、前記広域通信網を介して前記サーバと通信することができない状態が発生した場合、
前記ＬＡＮ通信ＩＦの無線通信機能を一時的に無効化して、前記通信装置との間の無線接続を解除することにより、前記ＷＡＮ通信ＩＦを用いた前記サーバとの通信を可能にする手段
をさらに有することを特徴とする請求項１に記載の無線ＬＡＮネットワークシステム。
【請求項３】
前記情報通信機器は、
前記ＬＡＮ通信ＩＦを用いて前記通信装置と無線接続するために必要とする当該通信装置のＳＳＩＤ（Service  Set  Identifier）およびパスワードを保持していない場合、当該通信装置に対して、現在設定されている本来のＳＳＩＤおよびパスワードをあらかじめ定めた固定ＳＳＩＤおよびパスワードに一時的に切り替えて設定することを要求する切り替え要求を送信する手段と、
前記固定ＳＳＩＤおよびパスワードに一時的に設定された前記通信装置から、当該通信装置の本来のＳＳＩＤおよびパスワードに関する情報を受信した際に、該本来のＳＳＩＤおよびパスワードに関する情報を当該通信装置との無線接続を行うための接続プロファイルとして保持する手段と
をさらに有し
前記通信装置は、
前記情報通信機器から、前記切り替え要求を受け取った際に、当該通信装置の本来のＳＳＩＤおよびパスワードをあらかじめ定めた前記固定ＳＳＩＤおよびパスワードに一時的に切り替えて設定する手段と、
当該通信装置の前記広域通信網における接続先に関する情報の設定を終了した際に、前記情報通信機器に対して、本来のＳＳＩＤおよびパスワードに関する情報を送信した後、前記固定ＳＳＩＤおよびパスワードから本来のＳＳＩＤおよびパスワードに戻して設定し直す手段と
をさらに有することを特徴とする請求項１または２に記載の無線ＬＡＮネットワークシステム。
【請求項４】
前記通信装置は、
当該通信装置のＳＳＩＤおよびパスワードをあらかじめ定めた前記固定ＳＳＩＤおよびパスワードに一時的に切り替えて設定している状態にある間、前記情報通信機器から送信されてきた当該通信装置の前記広域通信網における最新の接続先に関する情報を受信して設定する期間を除いて、外部からの情報を受信して設定することを禁止する手段
をさらに有することを特徴とする請求項３に記載の無線ＬＡＮネットワークシステム。
【請求項５】
前記情報無線機器は、
前記ＷＡＮ通信ＩＦを使用することができないか、または、該ＷＡＮ通信ＩＦを備えていない構成になった場合、
前記広域通信網を介して前記サーバと接続することができ、かつ、当該情報通信装置と無線接続することができるアクセスポイントに無線接続して、該アクセスポイントを介して前記広域通信網に接続することにより、前記サーバと接続する手段
をさらに有することを特徴とする請求項１ないし４のいずれかに記載の無線ＬＡＮネットワークシステム。
【請求項６】
無線ＬＡＮ（Local  Area  Network）中継機能を有する通信装置と、該通信装置と無線接続することができるＬＡＮ通信ＩＦ（Interface）と広域通信網に接続することができるＷＡＮ通信ＩＦとを有する情報通信機器と、前記通信装置を前記広域通信網に接続するために必要とする最新の接続先に関する情報を登録しているサーバとを含む無線ＬＡＮネットワークシステムにおいて、前記通信装置に当該通信装置の前記広域通信網における最新の接続先に関する情報を設定する接続先設定方法であって、
前記情報通信機器は、
前記ＬＡＮ通信ＩＦを用いて無線接続した前記通信装置から、当該通信装置の前記広域通信網における接続先に関する情報を選択するために必要とする情報である選択条件情報を受け取るステップと、
前記ＷＡＮ通信ＩＦを用いて接続した前記広域通信網を介して前記サーバにアクセスして、前記通信装置から受け取った前記選択条件情報を基にして、該サーバに登録されている当該通信装置の前記広域通信網における最新の接続先に関する情報を取得するステップと、
前記サーバから取得した前記通信装置の前記広域通信網における最新の接続先に関する情報を、前記ＬＡＮ通信ＩＦを用いて当該通信装置に送信するステップと
を有し、
前記通信装置は、
前記情報通信機器から送信されてきた当該通信装置の前記広域通信網における最新の接続先に関する情報を、前記広域通信網における接続先に関する情報として設定するステップ
を有することを特徴とする接続先設定方法。
【請求項７】
前記情報通信機器は、
前記ＷＡＮ通信ＩＦを用いて、前記広域通信網を介して前記サーバと通信することができない状態が発生した場合、
前記ＬＡＮ通信ＩＦの無線通信機能を一時的に無効化して、前記通信装置との間の無線接続を解除することにより、前記ＷＡＮ通信ＩＦを用いた前記サーバとの通信を可能にするステップ
をさらに有することを特徴とする請求項６に記載の無接続先設定方法。
【請求項８】
前記情報通信機器は、
前記ＬＡＮ通信ＩＦを用いて前記通信装置と無線接続するために必要とする当該通信装置のＳＳＩＤ（Service  Set  Identifier）およびパスワードを保持していない場合、当該通信装置に対して、現在設定されている本来のＳＳＩＤおよびパスワードをあらかじめ定めた固定ＳＳＩＤおよびパスワードに一時的に切り替えて設定することを要求する切り替え要求を送信するステップと、
前記固定ＳＳＩＤおよびパスワードに一時的に設定された前記通信装置から、当該通信装置の本来のＳＳＩＤおよびパスワードに関する情報を受信した際に、該本来のＳＳＩＤおよびパスワードに関する情報を当該通信装置との無線接続を行うための接続プロファイルとして保持するステップと
をさらに有し
前記通信装置は、
前記情報通信機器から、前記切り替え要求を受け取った際に、当該通信装置の本来のＳＳＩＤおよびパスワードをあらかじめ定めた前記固定ＳＳＩＤおよびパスワードに一時的に切り替えて設定するステップと、
当該通信装置の前記広域通信網における接続先に関する情報の設定を終了した際に、前記情報通信機器に対して、本来のＳＳＩＤおよびパスワードに関する情報を送信した後、前記固定ＳＳＩＤおよびパスワードから本来のＳＳＩＤおよびパスワードに戻して設定し直すステップと
をさらに有することを特徴とする請求項６または７に記載の接続先設定方法。
【請求項９】
前記情報無線機器は、
前記ＷＡＮ通信ＩＦを使用することができないか、または、該ＷＡＮ通信ＩＦを備えていない構成になった場合、
前記広域通信網を介して前記サーバと接続することができ、かつ、当該情報通信装置と無線接続することができるアクセスポイントに無線接続して、該アクセスポイントを介して前記広域通信網に接続することにより、前記サーバと接続するステップ
をさらに有することを特徴とする請求項６ないし８のいずれかに記載の接続先設定方法。
【請求項１０】
無線ＬＡＮ（Local  Area  Network）中継機能を有する通信装置と、該通信装置と無線接続することができるＬＡＮ通信ＩＦ（Interface）と広域通信網に接続することができるＷＡＮ通信ＩＦとを有する情報通信機器と、前記通信装置を前記広域通信網に接続するために必要とする最新の接続先に関する情報を登録しているサーバと含む無線ＬＡＮネットワークシステムにおいて、前記通信装置に当該通信装置の前記広域通信網における最新の接続先に関する情報を設定する動作をコンピュータによって実行する接続先設定プログラムであって、
前記情報通信機器は、
前記ＬＡＮ通信ＩＦを用いて無線接続した前記通信装置から、当該通信装置の前記広域通信網における接続先に関する情報を選択するために必要とする情報である選択条件情報を受け取る処理と、
前記ＷＡＮ通信ＩＦを用いて接続した前記広域通信網を介して前記サーバにアクセスして、前記通信装置から受け取った前記選択条件情報を基にして、該サーバに登録されている当該通信装置の前記広域通信網における最新の接続先に関する情報を取得する処理と、
前記サーバから取得した前記通信装置の前記広域通信網における最新の接続先に関する情報を、前記ＬＡＮ通信ＩＦを用いて当該通信装置に送信する処理と
を有し、
前記通信装置は、
前記情報通信機器から送信されてきた当該通信装置の前記広域通信網における最新の接続先に関する情報を、前記広域通信網における接続先に関する情報として設定する処理
を有することを特徴とする接続先設定プログラム。
【発明の詳細な説明】
【技術分野】
【０００１】
本発明は、無線通信ネットワークシステム、接続先設定方法および接続先設定プログラムに関し、特に、無線ＬＡＮ（Local  Area  Network）ルータ等の無線中継機能を有する通信装置をＬＴＥ（Long  Term  Evolution）網等の広域通信網に接続するための最新の接続先の情報を、ユーザの手動入力操作を要せず、自動的に該通信装置に設定することを可能にする無線通信ネットワークシステム、接続先設定方法および接続先設定プログラムに関する。
【背景技術】
【０００２】
近年、スマートフォンやノートパソコンなど携帯可能な情報通信機器が普及している。現状のスマートフォン等の情報通信機器においては、使用したデータ通信量によって速度制限が適用されているため、無線ＬＡＮルータ等の無線中継機能を有する通信装置を利用するシーンが多くなっている。また、一般の無線ＬＡＮルータは、ＳＩＭ（Subscriber  Identity  Module）カードなどの情報からＬＴＥ網などの広域通信網と接続して、インターネット通信を提供する機能も有している。
【０００３】
このように、無線ＬＡＮルータ等の無線中継機能を有する通信装置であっても、ＳＩＭカードを利用している場合、ＬＴＥ網などの広域通信網と接続するためには接続先に関する情報（ＡＰＮ（Access  Point  Name）など）の設定をスマートフォン等の情報通信機器のユーザ自身が実施する必要が出てくる。つまり、ＳＩＭカードを提供しているキャリアや契約内容に応じて、無線ＬＡＮルータ等の通信装置における接続先に関する設定内容が異なるため、スマートフォン等の情報通信機器のユーザに設定させることが必要になる。しかし、接続先の設定は、複数の項目に亘る入力が必要になるため、スマートフォン等の情報通信機器のユーザにとって設定を簡単に行うことができるとは限らない。
【０００４】
このため、例えば、特許文献１の特開２０１５−０８４５８０号公報「移動局装置および位置管理装置」や特許文献２の特開２０１７−０２２４４３号公報「設定情報生成装置、方法、設定端末および方法」に記載されているような技術が提案され、無線中継機能を有する通信装置例えば無線ＬＡＮルータ側に、接続先に関する情報をあらかじめ登録しているＡＰＮリストを備えることにより、設定を容易にしようとしている。図７は、前記特許文献１に記載されているような現状の通信装置の内部構成を示すブロック構成図である。図７に示すように、現状の通信装置１００ａは、一般的な通信装置に備えられている制御部１０１、ＷＡＮ（Wide  Area  Network）通信ＩＦ（Interface）１０２、ＬＡＮ（Local  Area  Network）通信ＩＦ１０３、操作ＩＦ１０４の他に、ＬＴＥ網等の広域通信網の接続先に関する情報を登録したＡＰＮリスト３０１ａを備えて構成されている。
【先行技術文献】
【特許文献】
【０００５】
【特許文献１】特開２０１５−０８４５８０号公報
【特許文献２】特開２０１７−０２２４４３号公報
【発明の概要】
【発明が解決しようとする課題】
【０００６】
しかしながら、図７に示した本発明に関連する現状の技術のように、無線中継機能を有する通信装置１００ａ例えば無線ＬＡＮルータ側に、ＬＴＥ網に代表される広域通信網（ＷＡＮ：Wide  Area  Network）の接続先に関する情報をあらかじめ登録するＡＰＮリスト３０１ａを備えるような構成においては、例えば、接続先に関する情報が変更された場合には、即時に対応することが困難であり、実際の適用には限界がある。
【０００７】
このため、図８に示すように、通信装置側にＡＰＮリストを備える代わりに、サーバ側に該ＡＰＮリストを備え、接続先に関する情報を最新の状態に維持するように管理し、通信装置が該サーバにアクセスして最新の接続先に関する情報を取得するという対案も想定される。図８は、このような技術を適用する場合の現状の技術の変形の一例を示すネットワーク構成図である。図８に示す構成においては、ＬＴＥ網に代表される広域通信網に接続しようとする通信装置１００ｂは、該広域通信網における接続先に関する最新の情報が保持されているＡＰＮリスト３０１ｂを備えたサーバ３００ａに対して、広域通信網であるインターネット回線５００を介してアクセスすることにより、該サーバ３００ａから通信装置１００ｂ例えば無線ＬＡＮルータに最新の接続先に関する情報を設定することを実現しようとしている。
【０００８】
しかしながら、図８のような構成の場合、該通信装置１００ｂ例えば無線ＬＡＮルータの初期状態においては、ＷＡＮ通信ＩＦ１０２を利用して、ＬＴＥ網等の広域通信網における接続先の設定がなされていないため、広域通信網への接続を行うことができる状態にはなっていない。したがって、該通信装置１００ｂ例えば無線ＬＡＮルータは、インターネット通信を行うことができない状態であり、サーバ３００ａのＡＰＮリスト３０１ｂにアクセスして接続先に関する最新の情報を取得することはできない。
【０００９】
（本発明の目的）
本発明は、以上のような事情に鑑みてなされたものであり、無線ＬＡＮルータ等の無線中継機能を有する通信装置をＬＴＥ網等の広域通信網に接続するための最新の接続先の情報を、ユーザの手動入力操作を要せず、自動的に該通信装置に設定できる無線通信ネットワークシステム、接続先設定方法および接続先設定プログラムを提供することを、その目的としている。
【課題を解決するための手段】
【００１０】
前述の課題を解決するため、本発明による無線通信ネットワークシステム、接続先設定方法および接続先設定プログラムは、主に、次のような特徴的な構成を採用している。
【００１１】
（１）本発明による無線通信ネットワークシステムは、
無線ＬＡＮ（Local  Area  Network）中継機能を有する通信装置と、該通信装置と無線接続することができるＬＡＮ通信ＩＦ（Interface）と広域通信網に接続することができるＷＡＮ通信ＩＦとを有する情報通信機器と、前記通信装置を前記広域通信網に接続するために必要とする最新の接続先に関する情報を登録しているサーバとを含む無線ＬＡＮネットワークシステムであって、
前記情報通信機器は、
前記ＬＡＮ通信ＩＦを用いて無線接続した前記通信装置から、当該通信装置の前記広域通信網における接続先に関する情報を選択するために必要とする情報である選択条件情報を受け取る手段と、
前記ＷＡＮ通信ＩＦを用いて接続した前記広域通信網を介して前記サーバにアクセスして、前記通信装置から受け取った前記選択条件情報を基にして、該サーバに登録されている当該通信装置の前記広域通信網における最新の接続先に関する情報を取得する手段と、
前記サーバから取得した前記通信装置の前記広域通信網における最新の接続先に関する情報を、前記ＬＡＮ通信ＩＦを用いて当該通信装置に送信する手段と
を有し、
前記通信装置は、
前記情報通信機器から送信されてきた当該通信装置の前記広域通信網における最新の接続先に関する情報を、前記広域通信網における接続先に関する情報として設定する手段
を有することを特徴とする。
【００１２】
（２）本発明による接続先設定方法は、
無線ＬＡＮ（Local  Area  Network）中継機能を有する通信装置と、該通信装置と無線接続することができるＬＡＮ通信ＩＦ（Interface）と広域通信網に接続することができるＷＡＮ通信ＩＦとを有する情報通信機器と、前記通信装置を前記広域通信網に接続するために必要とする最新の接続先に関する情報を登録しているサーバとを含む無線ＬＡＮネットワークシステムにおいて、前記通信装置に当該通信装置の前記広域通信網における最新の接続先に関する情報を設定する接続先設定方法であって、
前記情報通信機器は、
前記ＬＡＮ通信ＩＦを用いて無線接続した前記通信装置から、当該通信装置の前記広域通信網における接続先に関する情報を選択するために必要とする情報である選択条件情報を受け取るステップと、
前記ＷＡＮ通信ＩＦを用いて接続した前記広域通信網を介して前記サーバにアクセスして、前記通信装置から受け取った前記選択条件情報を基にして、該サーバに登録されている当該通信装置の前記広域通信網における最新の接続先に関する情報を取得するステップと、
前記サーバから取得した前記通信装置の前記広域通信網における最新の接続先に関する情報を、前記ＬＡＮ通信ＩＦを用いて当該通信装置に送信するステップと
を有し、
前記通信装置は、
前記情報通信機器から送信されてきた当該通信装置の前記広域通信網における最新の接続先に関する情報を、前記広域通信網における接続先に関する情報として設定するステップ
を有することを特徴とする。
【００１３】
（３）本発明による接続先設定プログラムは、
無線ＬＡＮ（Local  Area  Network）中継機能を有する通信装置と、該通信装置と無線接続することができるＬＡＮ通信ＩＦ（Interface）と広域通信網に接続することができるＷＡＮ通信ＩＦとを有する情報通信機器と、前記通信装置を前記広域通信網に接続するために必要とする最新の接続先に関する情報を登録しているサーバと含む無線ＬＡＮネットワークシステムにおいて、前記通信装置に当該通信装置の前記広域通信網における最新の接続先に関する情報を設定する動作をコンピュータによって実行する接続先設定プログラムであって、
前記情報通信機器は、
前記ＬＡＮ通信ＩＦを用いて無線接続した前記通信装置から、当該通信装置の前記広域通信網における接続先に関する情報を選択するために必要とする情報である選択条件情報を受け取る処理と、
前記ＷＡＮ通信ＩＦを用いて接続した前記広域通信網を介して前記サーバにアクセスして、前記通信装置から受け取った前記選択条件情報を基にして、該サーバに登録されている当該通信装置の前記広域通信網における最新の接続先に関する情報を取得する処理と、
前記サーバから取得した前記通信装置の前記広域通信網における最新の接続先に関する情報を、前記ＬＡＮ通信ＩＦを用いて当該通信装置に送信する処理と
を有し、
前記通信装置は、
前記情報通信機器から送信されてきた当該通信装置の前記広域通信網における最新の接続先に関する情報を、前記広域通信網における接続先に関する情報として設定する処理
を有することを特徴とする。
【発明の効果】
【００１４】
本発明の無線通信ネットワークシステム、接続先設定方法および接続先設定プログラムによれば、以下のような効果を奏することができる。
【００１５】
すなわち、本発明においては、無線中継機能を有する通信装置とＬＡＮ接続が可能で、かつ、該通信装置を広域通信網に接続する際に必要とする最新の接続先に関する情報を保有しているサーバとＷＡＮ接続することが可能な情報通信機器を用いることによって、当該通信装置に対して、ＬＴＥ網等の広域通信網における接続に必要とする接続先（ＡＰＮ（Access  Point  Nameなど）に関する情報を自動的に設定することができるので、当該通信装置のユーザは、接続先に関する煩雑な設定を行うことなく、当該通信装置に広域通信網の最新の接続先の情報を自動的に設定して通信を行うことが可能になる。
【図面の簡単な説明】
【００１６】
【図１】本発明に係る無線通信ネットワークシステムのシステム構成の第１の実施形態を示すシステム構成図である。
【図２】図１に示した無線ＬＡＮネットワークシステムの第１の実施形態の動作の一例を示すフローチャートである。
【図３】図１に示した無線ＬＡＮネットワークシステムの第１の実施形態における通信装置の制御部の動作の一例を示すフローチャートである。
【図４Ａ】図１に示した無線ＬＡＮネットワークシステムの第２の実施形態の動作の一例を示すフローチャートの前半部分である。
【図４Ｂ】図１に示した無線ＬＡＮネットワークシステムの第２の実施形態の動作の一例を示すフローチャートの後半部分である。
【図５】本発明に係る無線通信ネットワークシステムのシステム構成の第３の実施形態を示すシステム構成図である。
【図６】第３の実施形態として図５に示した無線ＬＡＮネットワークシステムの動作の一例を示すフローチャートである。
【図７】前記特許文献１に記載されているような現状の通信装置の内部構成を示すブロック構成図である。
【図８】現状の技術の変形の一例を示すネットワーク構成図である。
【発明を実施するための形態】
【００１７】
以下、本発明による無線通信ネットワークシステム、接続先設定方法および接続先設定プログラムの好適な実施形態について添付図を参照して説明する。なお、以下の説明においては、本発明による無線通信ネットワークシステムおよび接続先設定方法について説明するが、かかる接続先設定方法をコンピュータにより実行可能な接続先設定プログラムとして実施するようにしても良いし、あるいは、接続先設定プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１８】
（本発明の特徴）
本発明の実施形態の説明に先立って、本発明の特徴についてその概要をまず説明する。本発明は、無線ＬＡＮルータ等に代表される通信装置が、スマートフォンやノートパソコンやタブレット端末等の情報通信機器を子機として無線接続して、ＬＴＥ（Long  Term  Evolution）網等に代表される広域通信網に接続するための最新の接続先に関する情報を、該情報通信機器を経由して、サーバから取得して設定することを、主要な特徴としている。而して、該通信装置のユーザは、手動で何らの操作を行うこともなく、広域通信網に接続するための最新の接続先に関する情報を該通信装置に容易に設定することができ、最新の接続先の情報を用いて、広域通信網と接続して、例えばインターネット通信を行うことができる。
【００１９】
ここで、「無線ＬＡＮルータ」とは、Ｗｉ−Ｆｉアクセスポイントの機能を内蔵して、ＬＡＮ（Local  Area  Network）通信中継機能を有し、かつ、広域通信網（ＷＡＮ：Wide  Area  Network）側のネットワークとの接続ポートも備えている通信装置を意味する。また、「ＬＴＥ網」とは、第３世代の移動端末に関する通信規格に準拠したネットワークであり、無線ＬＡＮルータ等の通信装置が接続しようとするＷＡＮ側の広域通信網の代表例を意味する。また、「子機」とは、通信装置を親機として、該通信装置とＷｉ−Ｆｉ（無線）接続するスマートフォンなどの情報通信機器のことを意味する。
【００２０】
＜本発明の第１の実施形態＞
次に、本発明に係る無線通信ネットワークシステムの第１の実施形態について図面を参照しながら詳細に説明する。
【００２１】
（本発明の第１の実施形態の構成例）
まず、本発明に係る無線通信ネットワークシステムのシステム構成の第１の実施形態について図１を用いて詳細に説明する。図１は、本発明に係る無線通信ネットワークシステムのシステム構成の第１の実施形態を示すシステム構成図である。図１に示す無線通信ネットワークシステムは、通信装置１００と情報通信機器２００とサーバ３００とを少なくとも含んで構成される。ここで、通信装置１００は、ＬＡＮ（Local  Area  Network）側のネットワークとの接続ポートを備えてＬＡＮ通信中継機能を有し、かつ、ＷＡＮ（Wide  Area  Network）側のネットワークとの接続ポートも備える無線ＬＡＮルータなどを意味していて、制御部１０１、ＷＡＮ通信ＩＦ１０２、ＬＡＮ通信ＩＦ１０３、操作ＩＦ１０４を少なくとも備えている。
【００２２】
また、情報通信機器２００は、スマートフォンやノートパソコンなどの無線通信可能な情報通信端末を意味していて、管理部２０１、ＷＡＮ通信ＩＦ２０２、ＬＡＮ通信ＩＦ２０３を少なくとも備えている。また、サーバ３００は、ＬＴＥ網等の広域通信網を介してアクセスすることが可能なインターネット上に配置されていて、ＡＰＮリスト３０１、ＷＡＮ通信ＩＦ３０２を少なくとも備えている。
【００２３】
通信装置１００と情報通信機器２００とは、無線接続例えばＷｉ−Ｆｉ接続によって無線通信が可能である。つまり、通信装置１００のＬＡＮ通信ＩＦ１０３と情報通信機器２００のＬＡＮ通信ＩＦ２０３とを、通信装置１００を親機、情報通信機器２００を子機として、Ｗｉ−Ｆｉ（無線）接続することが可能である。また、情報通信機器２００とサーバ３００とはインターネット回線５００を介して通信を行うことが可能である。つまり、情報通信機器２００は、広域通信網における接続先に関する情報を保持しており、情報通信機器２００のＷＡＮ通信ＩＦ２０２とサーバ３００のＷＡＮ通信ＩＦ３０２とは、インターネット回線５００すなわちＬＴＥ網等の広域通信網を介して通信を行うことが可能である。また、通信装置１００が広域通信網に関する接続先設定を完了している場合には、インターネット回線５００すなわちＬＴＥ網等の広域通信網を介して例えばインターネット通信を行うことが可能になる。すなわち、かかる場合には、通信装置１００のＷＡＮ通信ＩＦ１０２とサーバ３００のＷＡＮ通信ＩＦ３０２とは、インターネット回線５００すなわちＬＴＥ網等の広域通信網を介して通信を行うことが可能になる。
【００２４】
また、通信装置１００は、前述のように、無線ＬＡＮルータなどの通信中継機能を有する装置であり、例えば、通信装置１００のＬＡＮ通信ＩＦ１０３に接続された情報通信機器２００は、該通信装置１００のＷＡＮ通信ＩＦ１０２を介して、ＬＴＥ網等に代表される広域通信網を意味するインターネット回線５００に接続されることによって、インターネット通信を行うことも可能になる。ただし、通信装置１００がＡＰＮ等の広域通信網の接続先に関する情報を設定していない例えば初期状態においては、ＬＴＥ網等に代表される広域通信網を意味するインターネット回線５００に接続することはできない。
【００２５】
また、通信装置１００のＬＡＮ通信ＩＦ１０３は、無線ＬＡＮの親機としてＷｉ−Ｆｉ無線を利用するためのインターフェースである。また、通信装置１００の操作ＩＦ１０４は、ユーザが簡単な操作を行うためのボタンやタッチパネルなどのインターフェースを提供する。
【００２６】
また、通信装置１００の制御部１０１は、制御用のプログラムを内蔵していて、ＷＡＮ通信ＩＦ１０２およびＬＡＮ通信ＩＦ１０３の動作を制御し、ＬＴＥ網等に代表される広域通信網との間、および、ＬＡＮネットワークとの間で送受信されるデータの管理を行う。また、制御部１０１は、広域通信網の接続先などに関する情報を保持しており、ＷＡＮ通信ＩＦ１０２を介して、広域通信網を意味するインターネット回線５００との間の接続制御も行っている。さらには、制御部１０１は、ＬＡＮ通信ＩＦ１０３と情報通信機器２００のＬＡＮ通信ＩＦ２０３とを介して、情報通信機器２００から通信装置１００に対して広域通信網の接続先に関する情報の設定がなされた場合には、該接続先に関する情報の保持・管理も行っている。逆に、制御部１０１は、ＬＡＮ通信ＩＦ１０３と情報通信機器２００のＬＡＮ通信ＩＦ２０３とを介して、情報通信機器２００から当該通信装置１００の広域通信網における接続先に関する情報の選択のために必要とする選択条件情報の送信を要求された場合には、該要求に応じて、接続先の情報の選択のために必要とする選択条件情報として、例えば、当該通信装置１００の機種名、キャリア、仕向け先等の情報を返送している。さらに、制御部１０１は、操作ＩＦ１０４の制御を行い、ユーザによる操作結果を通信装置１００内の各種情報（広域通信網の接続先に関する情報も含む）の設定に反映させる制御も行う。
【００２７】
また、情報通信機器２００は、当該情報通信機器２００の広域通信網における接続先に関する情報を保持しており、ＷＡＮ通信ＩＦ２０２を介して、ＬＴＥ網等の広域通信網を意味するインターネット回線５００に接続することによって、インターネット通信が可能である。また、情報通信機器２００のＬＡＮ通信ＩＦ２０３は、無線ＬＡＮの子機としてＷｉ−Ｆｉ無線のアクセスポイントを利用するためのインターフェースであり、情報通信機器２００は、ＬＡＮ通信ＩＦ２０３を介して、親機側の通信装置１００から、当該通信装置１００の接続先に関する情報を選択するための前記選択条件情報（機種、キャリア、仕向け先などの情報)を取得することが可能である。
【００２８】
また、情報通信機器２００の管理部２０１は、通信装置１００およびサーバ３００との間で送受信するデータの管理を行う管理アプリケーションを搭載しており、例えば、ＬＡＮ通信ＩＦ２０３を介して、通信装置１００に対してＡＰＮ（Access  Point  Name）等の接続先に関する情報の選択に必要とする前記選択条件情報（すなわち、通信装置１００の広域通信網における接続先に関する情報を選択するために必要とする選択条件情報）を要求して、取得する動作を行っている。また、管理部２０１は、通信装置１００から取得した前記選択条件情報を基にして、サーバ３００のＡＰＮリスト３０１から当該通信装置１００の広域通信網における最新の接続先に関する情報を取得する動作も行っている。そして、管理部２０１は、サーバ３００から取得した最新の接続先に関する情報を、ＬＡＮ通信ＩＦ２０３を介して、通信装置１００に対して送信することにより、該接続先に関する情報を受信した通信装置１００が、広域通信網における接続先の設定を行うことを可能にしている。
【００２９】
また、サーバ３００のＷＡＮ通信ＩＦ３０２は、外部との通信を可能とするインターフェースであり、サーバ３００は、ＷＡＮ通信ＩＦ３０２を介して、広域通信網を意味するインターネット回線５００を利用することが可能である。そして、サーバ３００は、インターネット回線５００を介して接続される情報通信機器２００と通信することが可能である。また、サーバ３００のＡＰＮリスト３０１は、広域通信網の接続先名（ＡＰＮ：Access  Point  Name）等の接続先に関する情報をリスト化して保持している。そして、ＡＰＮリスト３０１に保持される接続先に関する情報は、サーバ管理者により最新の情報となるように管理されている。
【００３０】
（本発明の第１の実施形態の動作の説明）
次に、第１の実施形態として図１に示した無線ＬＡＮネットワークシステムの動作についてその一例を図２および図３のフローチャートを参照しながら詳細に説明する。まず、図２のフローチャートを参照しながらその動作を説明する。図２は、図１に示した無線ＬＡＮネットワークシステムの第１の実施形態の動作の一例を示すフローチャートであり、サーバ３００が保持しているＡＰＮリスト３０１に登録されている接続先に関する情報を情報通信機器２００が取得することにより、通信装置１００の広域通信網における接続先の設定を行うまでの動作の一例を示している。
【００３１】
図２のフローチャートにおいて、まず、情報通信機器２００は、ＬＡＮ通信ＩＦ２０３を通信装置１００のＬＡＮ通信ＩＦ１０３にＷｉ−Ｆｉ（無線）接続する（ステップＳ１）。次に、情報通信機器２００の管理部２０１は、通信装置１００との間のＷｉ−Ｆｉ（無線）通信により、通信装置１００から、当該通信装置１００の広域通信網における接続先に関する情報の取得のために必要とする選択条件情報（すなわち、当該通信装置１００の機種、キャリア、仕向け先、等の情報）を取得する（ステップＳ２）。しかる後、情報通信機器２００の管理部２０１は、当該情報通信機器２００のＷＡＮ通信ＩＦ２０２がサーバ３００との間のＷＡＮ側通信が可能な状態にあるか否かを確認する（ステップＳ３）。
【００３２】
サーバ３００との間の通信が可能な状態になっている場合には（ステップＳ４のＹｅｓの場合）、ステップＳ６の動作に移行するが、サーバ３００との間の通信が不可能な状態になっている場合には（ステップＳ４のＮｏの場合）、通信装置１００との間のＷｉ−Ｆｉ（無線）接続を解除するために、ＬＡＮ通信ＩＦ２０３のＷｉ−Ｆｉ機能を一時的に無効化する設定を行うとともに、通信装置１００に対してＷｉ−Ｆｉ（無線）通信の無効化を要求する（ステップＳ５）。
【００３３】
その結果、通信装置１００とのＷｉ−Ｆｉ（無線）接続が解除されて、サーバ３００との間のＷＡＮ側通信が可能な状態になる。したがって、情報通信機器２００の管理部２０１は、通信装置１００から先に受け取っていた該通信装置１００の広域通信網における接続先に関する情報の取得のために必要とする選択条件情報を基にして、サーバ３００のＡＰＮリスト３０１から適切な接続先に関する情報（ＡＰＮ等）を選別して取得する（ステップＳ６）。しかる後、情報通信機器２００の管理部２０１は、ＬＡＮ通信ＩＦ２０３を通信装置１００のＬＡＮ通信ＩＦ１０３にＷｉ−Ｆｉ（無線）接続する（ステップＳ７）。そして、情報通信機器２００の管理部２０１は、ステップＳ６においてサーバ３００から取得した該通信装置１００の広域通信網における接続先に関する情報（ＡＰＮ等）を該通信装置１００に対して送信して、該通信装置の接続先の情報として設定する（ステップＳ８）。
【００３４】
次に、図３のフローチャートを参照しながら通信装置１００の制御部１０１における動作を説明する。図３は、図１に示した無線ＬＡＮネットワークシステムの第１の実施形態における通信装置１００の制御部１０１の動作の一例を示すフローチャートであり、情報通信機器２００からＷｉ−Ｆｉ（無線）通信の無効化要求を受け取った際の通信装置１００の制御部１０１の動作の一例を示している。
【００３５】
図３のフローチャートにおいて、まず、通信装置１００の制御部１０１は、図２のフローチャートのステップＳ５において、情報通信機器２００から送信されてきたＷｉ−Ｆｉ（無線）通信の一時的な無効化の要求を受信すると（ステップＳ１１）、該要求に応じて、ＬＡＮ通信ＩＦ１０３を制御して、情報通信機器２００との間のＷｉ−Ｆｉ（無線）通信を無効化する（ステップＳ１２）。そして、通信装置１００の制御部１０１は、Ｗｉ−Ｆｉ（無線）通信を無効化した時刻を記録する（ステップＳ１３）。
【００３６】
この結果、図２の説明において前述したように、情報通信機器２００は、通信装置１００との間のＷｉ−Ｆｉ（無線）接続が解除されて、ＷＡＮ通信ＩＦ２０２から広域通信網を意味するインターネット回線５００への通信が可能になり、サーバ３００との通信が可能になる。而して、情報通信機器２００は、図２の説明において前述したように、当該通信装置１００から先に受け取っていた該通信装置１００の広域通信網における接続先に関する情報の取得に必要とする選択条件情報を基にして、サーバ３００のＡＰＮリスト３０１から適切なＡＰＮ等の接続先に関する情報を取得する動作を行うことが可能になる。
【００３７】
一方、通信装置１００の制御部１０１は、操作ＩＦ１０４を介して、Ｗｉ−Ｆｉ（無線）通信を有効化するユーザの指示があるか、または、あらかじめ定めた一定時間（例えば３分間）が経過するまで、待ち合わせる（ステップＳ１４）。すなわち、まず、操作ＩＦ１０４を介して、Ｗｉ−Ｆｉ（無線）通信を有効化するユーザの指示があった場合には（ステップＳ１５のＹｅｓの場合）、ステップＳ１７の動作に移行する。しかし、該ユーザの指示がなかった場合には（ステップＳ１５のＮｏの場合）、次に、あらかじめ定めた一定時間（例えば３分間）が経過したか否かを確認し（ステップＳ１６）、まだ、該一定時間が経過していなかった場合には（ステップＳ１６のＮｏの場合）、ステップＳ１４に復帰して、操作ＩＦ１０４からのユーザの指示があるか確認する動作に戻る。また、あらかじめ定めた一定時間（例えば３分間）が経過した場合には（ステップＳ１６のＹｅｓの場合）、ステップＳ１７の動作に移行する。
【００３８】
操作ＩＦ１０４を介して、Ｗｉ−Ｆｉ（無線）通信を有効化するユーザの指示があるか、または、あらかじめ定めた一定時間（例えば３分間）が経過して、ステップＳ１７の動作に移行すると、通信装置１００の制御部１０１は、当該通信装置のＬＡＮ通信ＩＦ１０３を制御して、情報通信機器２００との間のＷｉ−Ｆｉ（無線）通信を有効化する（ステップＳ１７）。その結果、通信装置１００は、情報通信機器２００と再接続され、該情報通信機器２００においてサーバ３００から取得されていた当該通信装置１００に関する最新の接続先に関する情報（ＡＰＮ等）が送信されてくる。通信装置１００の制御部１０１は、情報通信機器２００から送られてきた当該通信装置１００の広域通信網における最新の接続先に関する情報（ＡＰＮ等）を受け取ると、当該通信装置１００の広域通信網における接続先に関する情報として、該通信装置１００に設定する（ステップＳ１８）。しかる後、通信装置１００の制御部１０１は、設定された接続先に関する情報を基にして、ＷＡＮ通信ＩＦ１０２を介して、ＬＴＥ網等の広域通信網を意味するインターネット回線５００との接続を行う（ステップＳ１９）。
【００３９】
（本発明の第１の実施形態の効果の説明）
以上に詳細に説明したように、本発明の第１の実施形態においては、次のような効果を奏することができる。
【００４０】
すなわち、本第１の実施形態においては、無線中継機能を有する通信装置１００とＬＡＮ接続が可能で、かつ、広域通信網における接続先に関する情報を設定済みの状態にあって、前記通信装置１００を広域通信網に接続する際に必要とする最新の接続先に関する情報をＡＰＮリスト３０１として保有しているサーバ３００とＷＡＮ接続することが可能な情報通信機器２００を用いることによって、当該通信装置１００に対して、ＬＴＥ網等の広域通信網における接続に必要とする最新の接続先に関する情報（ＡＰＮ等）を自動的に設定することができるので、当該通信装置１００のユーザは、接続先に関する煩雑な設定を行うことなく、当該通信装置１００に広域通信網の最新の接続先に関する情報を自動的に設定して通信を行うことが可能となる。
【００４１】
その理由は、情報通信機器２００は、ＬＡＮ接続によって、通信装置１００から当該通信装置１００の最新の接続先に関する情報（ＡＰＮ等）の取得に必要とする選択条件情報を受け取ることができ、また、ＷＡＮ接続によって、独自にサーバ３００との通信を行い、該サーバ３００から対象とする通信装置１００の最新の接続先に関する情報（ＡＰＮ等）を取得することができるからである。而して、通信装置１００は、ＬＡＮ接続によって、情報通信機器２００から、当該通信装置１００の最新の接続先に関する情報（ＡＰＮ等）を受け取って、接続先の設定を自動的に行うことができるので、当該通信装置１００のユーザは、接続先設定のための複雑な入力を行う必要がなくなる。
【００４２】
また、情報通信機器２００は、通信装置１００から当該通信装置１００の最新の接続先に関する情報の取得に必要とする選択条件情報を受け取った後、広域通信網を意味するインターネット回線５００を経由したサーバ３００との無線通信ができない状況が発生した場合には、当該情報通信機器２００のユーザが、如何なる操作も行うことなく、通信装置１００とのＷｉ−Ｆｉ（無線）通信を一時的に無効化して、ＬＡＮ通信状態をＷＡＮ通信を行う状態に切り替える動作を行っている。而して、情報通信機器２００は、インターネット通信を利用することが可能な広域通信網のインターネット回線５００に接続されることが可能な状態になり、インターネット回線５００を経由してサーバ３００にアクセスすることができる。なお、詳細は第３の実施形態において後述するが、情報通信機器２００は、当該情報通信機器２００自身がインターネット回線５００を介してサーバ３００に接続されるのではなく、インターネット通信が可能な他のアクセスポイントを用いてサーバ３００に接続しようとする場合であっても、通信装置１００のＷｉ−Ｆｉ（無線）通信を無効化することによって、他のアクセスポイントとＷｉ−Ｆｉ（無線）接続することが可能になるので、当該情報通信機器２００のユーザが他のアクセスポイントを選択してサーバ３００との接続のための操作を行うことを不要にすることができる。
【００４３】
＜本発明の第２の実施形態＞
次に、本発明に係る無線通信ネットワークシステムの第２の実施形態について図面を参照しながら詳細に説明する。本第２の実施形態においては、図１に示した通信装置１００に現在設定されている本来のＳＳＩＤ（Service  Set  Identifier）およびパスワードに関する情報を情報通信機器２００が保持していないために、通信装置１００と情報通信機器２００との間のＷｉ−Ｆｉ（無線）接続を設定することができない状態であっても、通信装置１００と情報通信機器２００との間のＷｉ−Ｆｉ（無線）接続を確実に行って、通信装置１００の広域通信網における接続先に関する情報を設定する動作を可能にすると同時に、以降、情報通信機器２００が通信装置１００とのＷｉ−Ｆｉ（無線）接続を行うことを可能な状態に自動的に設定する場合について説明している。なお、本第２の実施形態における無線通信ネットワークシステムのシステム構成および通信装置、情報通信機器およびサーバの内部構成については、第１の実施形態における図１と同様の構成であり、ここでの重複した説明は割愛する。
【００４４】
（本発明の第２の実施形態の動作の説明）
以下に、図１に示した無線ＬＡＮネットワークシステムにおける第２の実施形態の動作についてその一例を図４Ａおよび図４Ｂのフローチャートを参照しながら詳細に説明する。図４Ａおよび図４Ｂという２つの図面でもって１つのフローチャートを構成している。１つのフローチャート全体を１つの紙面に描くことが紙面の寸法制限から難しいので、フローチャートの前半部分を図４Ａに描き、フローチャートの後半部分を図４Ｂに描いている。そして、図４Ａの下端において○で囲んで示すＡおよびＢが、図４Ｂの上端において○で囲んで示すＡおよびＢにそれぞれ繋がっている。すなわち、図４Ａおよび図４Ｂは、図１に示した無線ＬＡＮネットワークシステムの第２の実施形態の動作の一例を示すフローチャートである。
【００４５】
図４Ａおよび図４Ｂのフローチャートにおいては、通信装置１００と情報通信機器２００との間のＷｉ−Ｆｉ（無線）接続を確立することができない状態にあるため、まず、通信装置１００のユーザは、操作ＩＦ１０４を操作して、当該通信装置１００に現在設定されている本来のＳＳＩＤ（Service  Set  Identifier）およびパスワードをあらかじめ定めた公知の固定ＳＳＩＤおよびパスワードに一時的に変更する（ステップＳ２１）。ここで、固定ＳＳＩＤおよびパスワードに設定された通信装置１００は、セキュリティ対策を考慮して、如何なる外部の装置や機器からも、当該通信装置１００の設定変更を行うことができない状態に設定される（ステップＳ２２）。つまり、通信装置１００のＳＳＩＤおよびパスワードをあらかじめ定めた前記固定ＳＳＩＤおよびパスワードに一時的に切り替えて設定している状態にある間は、情報通信機器２００から送信されてきた当該通信装置１００の広域通信網における最新の接続先に関する情報を受信する期間を除いて、外部からの情報を受信することを一切禁止する状態に設定される。
【００４６】
次に、情報通信機器２００の管理部２０１は、固定ＳＳＩＤおよびパスワードに設定された通信装置１００との間のＷｉ−Ｆｉ（無線）接続を行う（ステップＳ２３）。しかる後、情報通信機器２００の管理部２０１は、図２のステップＳ２〜ステップＳ６と同様の動作を行う。すなわち、まず、情報通信機器２００の管理部２０１は、通信装置１００から、当該通信装置１００の広域通信網における接続先に関する情報の取得に必要とする選択条件情報（すなわち、該通信装置１００の機種、キャリア、仕向け先、等の情報）を取得した後（ステップＳ２４）、当該情報通信機器２００のＷＡＮ通信ＩＦ２０２がサーバ３００との間のＷＡＮ側通信が可能であるか否かを確認し（ステップＳ２５）、可能であった場合には（ステップＳ２６のＹｅｓの場合）、通信装置１００から受け取っていた該通信装置１００の接続先に関する情報の取得に必要とする選択条件情報を基にして、サーバ３００のＡＰＮリスト３０１から適切な接続先に関する情報（ＡＰＮ等）を選別して取得する（ステップＳ４４）。
【００４７】
一方、情報通信機器２００のＷＡＮ通信ＩＦ２０２がサーバ３００との間のＷＡＮ側通信が不可能であった場合には（ステップＳ２６のＮｏの場合）、情報通信機器２００の管理部２０１は、一時的に、通信装置１００とのＷｉ−Ｆｉ（無線）通信を無効化する設定を行うとともに、通信装置１００に対してＷｉ−Ｆｉ（無線）通信の無効化を要求する（ステップＳ２７）。また、該無効化の要求を受け取った通信装置１００の制御部１０１は、図３のステップＳ１１〜ステップＳ１３と同様の動作を行う。すなわち、情報通信機器２００からＷｉ−Ｆｉ（無線）通信の一時的な無効化の要求を受信すると（ステップＳ２８）、通信装置１００の制御部１０１は、情報通信機器２００との間のＷｉ−Ｆｉ（無線）通信を無効化するとともに（ステップＳ２９）、Ｗｉ−Ｆｉ（無線）通信を無効化した時刻を記録する（ステップＳ３０）。
【００４８】
一方、情報通信機器２００においては、通信装置１００側においても情報通信機器２００との間のＷｉ−Ｆｉ（無線）通信が無効化されて、通信装置１００とのＷｉ−Ｆｉ（無線）接続が解除された状態になると、情報通信機器２００のＷＡＮ通信ＩＦ２０２は、サーバ３００との間のＷＡＮ側通信が可能な状態になる。したがって、情報通信機器２００の管理部２０１は、ステップＳ４４の場合と同様の動作を行い、通信装置１００から受け取っていた該通信装置１００の接続先に関する情報の取得に必要とする選択条件情報を基にして、サーバ３００のＡＰＮリスト３０１から適切な接続先に関する情報（ＡＰＮ等）を選別して取得する（ステップＳ３１）。
【００４９】
また、通信装置１００の制御部１０１は、ステップＳ３０の動作を終了すると、図３のステップＳ１４〜ステップＳ１７と同様の動作を行う。すなわち、通信装置１００の制御部１０１は、操作ＩＦ１０４を介して、Ｗｉ−Ｆｉ（無線）通信を有効化するユーザの指示があるか、または、あらかじめ定めた一定時間（例えば３分間）が経過するまで待ち合わせ（ステップＳ３２）、ユーザの指示があるか（ステップＳ３３のＹｅｓの場合）、または、前記一定時間（例えば３分間）が経過すると（ステップＳ３４のＹｅｓの場合）、当該通信装置のＬＡＮ通信ＩＦ１０３を制御して、情報通信機器２００との間のＷｉ−Ｆｉ（無線）通信を有効化する（ステップＳ３５）。その結果、情報通信機器２００は、図２のステップＳ７と同様の動作を行い、固定ＳＳＩＤが設定されている通信装置１００との間のＷｉ−Ｆｉ（無線）接続を行う（ステップＳ３６）。
【００５０】
しかし、ここで、通信装置１００は、ステップＳ２２において、外部の機器や装置からは一切設定を行うことができない状態に設定されているので、情報通信機器２００の管理部２０１は、固定ＳＳＩＤが設定されている通信装置１００に対して、通信装置１００の操作ＩＦ１０４を操作して、通信装置１００の外部機器である当該情報通信機器２００から通信装置１００の設定を変更することを可能にする状態に設定することを要求する（ステップＳ３７）。情報通信機器２００から該要求を受け取った通信装置１００の制御部１０１は、該要求を画面表示して、当該通信装置のユーザに通知する。該通知を視認したユーザは、操作ＩＦ１０４を介して、外部の当該情報通信機器２００から通信装置１００の設定を行うことを許可する操作を行う（ステップＳ３８）。
【００５１】
固定ＳＳＩＤが設定されている通信装置１００が外部からの設定が可能な状態に移行すると、図２のステップＳ８と同様の動作を行い、情報通信機器２００の管理部２０１は、ステップＳ３１またはステップＳ４４においてサーバ３００から取得した該通信装置１００の広域通信網における最新の接続先に関する情報（ＡＰＮ等）を該通信装置１００に対して送信して、該通信装置１００に設定を行う（ステップＳ３９）。
【００５２】
次に、通信装置１００の制御部１０１は、当該通信装置１００の広域通信網における接続先に関する情報が設定されると、情報通信機器２００に対して、当該通信装置１００の変更前の本来のＳＳＩＤおよびパスワードに関する情報を通知した後（ステップＳ４０）、当該通信装置１００のＳＳＩＤおよびパスワードを、変更前の本来のＳＳＩＤおよびパスワードに戻す（ステップＳ４１）。一方、情報通信機器２００の管理部２０１は、通信装置１００から送信されてきた通信装置１００の本来のＳＳＩＤおよびパスワードに関する情報を受け取ると、本来のＳＳＩＤおよびパスワードに戻された状態の通信装置１００とのＷｉ−Ｆｉ（無線）接続を行うための接続プロファイルを作成して保存する（ステップＳ４２）。
【００５３】
さらに、通信装置１００の制御部１０１は、図３のステップＳ１９と同様の動作を行い、設定された接続先に関する情報を基にして、ＷＡＮ通信ＩＦ１０２を介して、ＬＴＥ網等の広域通信網を意味するインターネット回線５００との接続を行う（ステップＳ４３）。
【００５４】
以上に詳細に説明したように、本第２の実施形態においては、通信装置１００との接続に必要とする情報（ＳＳＩＤおよびパスワード）を情報通信機器２００が保持していないために、通信装置１００と情報通信機器２００との間のＷｉ−Ｆｉ（無線）接続を設定することができない状態であっても、通信装置１００をあらかじめ定めた公知の固定のＳＳＩＤおよびパスワードに一時的に変更して設定することにより、通信装置１００と情報通信機器２００との間のＷｉ−Ｆｉ（無線）接続を確実に行うことを可能にしている。而して、通信装置１００の広域通信網における接続先に関する情報を設定する動作を可能にするとともに、通信装置１００の本来のＳＳＩＤおよびパスワードに関する情報を受け取って前記接続プロファイルを作成しているので、以降、情報通信機器２００が通信装置１００とのＷｉ−Ｆｉ（無線）接続を行うことも可能にしている。
【００５５】
また、固定のＳＳＩＤおよびパスワードに変更して設定した際には、情報通信機器２００が通信装置１００の接続先に関する情報を設定する動作を行う期間を除いて、外部の機器や装置からは、当該通信装置１００に対する設定を一切禁止する状態に移行させることにより、不正アクセスを未然に防ぐセキュリティ対策も実現している。
【００５６】
＜本発明の第３の実施形態＞
次に、本発明に係る無線通信ネットワークシステムの第３の実施形態について図面を参照しながら詳細に説明する。本第３の実施形態においては、図１に示した情報通信機器２００の代わりに、ＬＡＮ通信ＩＦ２０３を備えているもののＷＡＮ通信ＩＦ２０２を備えていない情報通信機器２００Ａを用いて、通信装置１００の広域通信網における接続先に関する情報を当該通信装置１００に設定する場合について説明する。なお、本第３の実施形態の情報通信機器２００Ａは、ＷＡＮ通信ＩＦ２０２を備えていたとしても、故障等により使用することができない状態にある場合も含む。
【００５７】
（本発明の第３の実施形態の構成例）
まず、本発明に係る無線通信ネットワークシステムのシステム構成の第３の実施形態について図５を用いて詳細に説明する。図５は、本発明に係る無線通信ネットワークシステムのシステム構成の第３の実施形態を示すシステム構成図である。図５に示す無線通信ネットワークシステムは、図１の場合とは異なり、通信装置１００と情報通信機器２００Ａとサーバ３００とアクセスポイント４００とを少なくとも含んで構成される。ここで、通信装置１００とサーバ３００とは、図１の場合と全く同様の内部構成からなっているが、情報通信機器２００Ａは、図１の情報通信機器２００からＷＡＮ通信ＩＦ２０２が削除された内部構成からなっている。
【００５８】
また、図５に示したアクセスポイント４００は、例えば公衆無線ＬＡＮ等において利用される無線中継機能を有する公衆無線ルータ装置と同様の装置であり、ＬＴＥ網等の広域通信網における接続先の情報を内部に保持するとともに、ＷＡＮ通信ＩＦ４０２、ＬＡＮ通信ＩＦ４０３を少なくとも含んで構成されている。そして、ＷＡＮ通信ＩＦを備えていない情報通信機器２００とＷｉ−Ｆｉ（無線）接続して、広域通信網を意味するインターネット回線５００を介してサーバ３００との間で送受信されるデータを情報通信機器２００Ａに中継することが可能である。
【００５９】
（本発明の第３の実施形態の動作の説明）
次に、第３の実施形態として図５に示した無線ＬＡＮネットワークシステムにおける動作についてその一例を図６のフローチャートを参照しながら詳細に説明する。図６は、第３の実施形態として図５に示した無線ＬＡＮネットワークシステムの動作の一例を示すフローチャートであり、情報通信機器２００Ａが、アクセスポイント４００を介してサーバ３００から取得した通信装置１００の接続先に関する情報を、当該通信装置に設定するまでの動作例を示している。なお、通信装置１００のＷｉ−Ｆｉ（無線）機能が無効化された際の当該通信装置１００の制御部１０１の動作については、第１の実施形態における図３のフローチャートの場合と同様であり、ここでの説明は省略する。以下には、図６のフローチャートを参照しながら、第１の実施形態の図２のフローチャートとの差分を中心にして説明する。
【００６０】
なお、図５のシステム構成に示したように、本第３の実施形態における情報通信機器２００Ａは、ＷＡＮ通信ＩＦ２０２を備えていないので、情報通信機器２００Ａ単独では、広域通信網を意味するインターネット回線５００を介した通信を行うことはできない。このため、本第３の実施形態における情報通信機器２００Ａは、アクセスポイント４００として、例えば公衆無線ＬＡＮ等において利用されている公衆無線ＬＡＮルータ（公衆アクセスポイント）を探索して、探索結果として検出された該アクセスポイント４００のＬＡＮ通信ＩＦ４０３、ＷＡＮ通信ＩＦ４０２を用いた無線中継機能を利用して、広域通信網を意味するインターネット回線５００を介した通信を行う。つまり、情報通信機器２００ＡのＬＡＮ通信ＩＦ２０３とアクセスポイント４００のＬＡＮ通信ＩＦ４０３とは、アクセスポイント４００を親機、情報通信機器２００Ａを子機として、Ｗｉ−Ｆｉ（無線）接続することが可能である。そして、中継機能を備えたアクセスポイント４００は、ＷＡＮ通信ＩＦ４０２を介してインターネット回線５００と通信することが可能である。したがって、情報通信機器２００Ａは、ＬＡＮ通信ＩＦ２０３、ＬＡＮ通信ＩＦ４０３、ＷＡＮ通信ＩＦ４０２を経由して、広域通信網を意味するインターネット回線５００と通信を行うことができる。
【００６１】
図６のフローチャートにおいて、ステップＳ５１〜ステップＳ５５までの各ステップは、第１の実施形態の図２のステップＳ１〜ステップＳ５と全く同じ動作を行うので、ここでの説明は省略する。そして、図６のフローチャートにおいては、情報通信機器２００Ａ自身はＷＡＮ側通信が不可能であるので（ステップＳ５４のＮｏの場合）、通信装置１００とのＷｉ−Ｆｉ（無線）通信を一時的に無効化した後（ステップＳ５５）、次のステップＳ５６において、情報通信機器２００Ａは、前述したように、公衆無線ＬＡＮ等に利用されているアクセスポイント４００の探索を行う（ステップＳ５６）。
【００６２】
その探索結果として、アクセスポイント４００を検出することができた場合には、情報通信機器２００Ａは、当該アクセスポイント４００とのＷｉ−Ｆｉ(無線)接続を行うことができたか否かを確認し（ステップＳ５７）、Ｗｉ−Ｆｉ(無線)接続を行うことができなかった場合には（ステップＳ５７のＮｏの場合）、ステップＳ５６に復帰して、Ｗｉ−Ｆｉ(無線)接続を行うことができるまで、別のアクセスポイント４００の探索動作を繰り返す。
【００６３】
検出したアクセスポイント４００とのＷｉ−Ｆｉ(無線)接続を行うことができた場合には（ステップＳ５７のＹｅｓの場合）、情報通信機器２００Ａは、該アクセスポイント４００を介してサーバ３００にアクセスして、図２のステップＳ６の場合と同様、通信装置１００から先に受け取っていた該通信装置１００の広域通信網における接続先に関する情報の取得のために必要とする選択条件情報を基にして、サーバ３００のＡＰＮリスト３０１から適切な接続先に関する情報（ＡＰＮ等）を選別して取得する（ステップＳ５８）。
【００６４】
以降のステップＳ５９、ステップＳ６０においては、第１の実施形態の図２のステップＳ７、ステップＳ８と全く同様の動作を行い、情報通信機器２００Ａの管理部２０１は、通信装置１００との間のＷｉ−Ｆｉ（無線）接続を行って（ステップＳ５９）、ステップＳ５８においてサーバ３００から取得した広域通信網における最新の接続先に関する情報（ＡＰＮ等）を該通信装置１００に対して送信して、該通信装置の接続先を示す情報として設定する（ステップＳ６０）。
【００６５】
以上のように、本第３の実施形態のように、通信装置１００とＷｉ−Ｆｉ（無線）接続する情報通信機器２００Ａが、ＷＡＮ通信ＩＦ２０２を備えていない場合であっても、公衆無線ＬＡＮ等において利用されているアクセスポイント４００を探索して、該アクセスポイント４００を介してサーバ３００にアクセスすることにより、該通信装置１００の広域通信網における接続先に関する情報を設定することができる。
【００６６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６７】
１００      通信装置
１００ａ    通信装置
１００ｂ    通信装置
１０１      制御部
１０２      ＷＡＮ通信ＩＦ、
１０３      ＬＡＮ通信ＩＦ
１０４      操作ＩＦ
２００      情報通信機器
２００Ａ    情報通信機器
２０１      管理部
２０２      ＷＡＮ通信ＩＦ、
２０３      ＬＡＮ通信ＩＦ
３００      サーバ
３００ａ      サーバ
３０１      ＡＰＮリスト
３０１ａ    ＡＰＮリスト
３０１ｂ    ＡＰＮリスト
３０２      ＷＡＮ通信ＩＦ
４００      アクセスポイント
４０２      ＷＡＮ通信ＩＦ
４０３      ＬＡＮ通信ＩＦ
５００      インターネット回線
【図１】
2019083463.tif 000003
【図２】
2019083463.tif 000004
【図３】
2019083463.tif 000005
【図４Ａ】
2019083463.tif 000006
【図４Ｂ】
2019083463.tif 000007
【図５】
2019083463.tif 000008
【図６】
2019083463.tif 000009
【図７】
2019083463.tif 000010
【図８】
2019083463.tif 000011